(57)【要約】【課題】コンバインに被せる段階での位置ずれをなくしたコンバインカバーを提供する。【解決手段】車体上部にオーガを収容自在に有したコンバインのカバーであって、前記コンバインの上部を覆う上面部の周囲に、四方に垂れ下がって前記コンバインの前後および左右それぞれを覆う側面部を設けたカバー本体と、収容位置にある前記オーガに着脱自在に、前記上面部の裏面に設けた仮止めバンドと、前記左右の側面部それぞれの長手方向内側の表面に基端が縫着され、前記コンバインの前方または後方それぞれに回り込んで先端同士を着脱自在に連結する前後一組の結束ベルトとを備え、前記仮止めバンドを収容位置にある前記オーガの中央またはその近傍に取り付けたとき、前記側面部によって前記コンバインの前後左右を同時に覆うものである。【選択図】図１
2014040139.tif 000002
【特許請求の範囲】
【請求項１】
車体上部にオーガを収容自在に装備したコンバインのカバーであって、前記コンバインの上部を覆う上面部の周囲を拡張し、四方に垂れ下がって前記コンバインの前後左右の全側面を覆う矩形状のカバー本体と、該カバー本体の前記上面部の裏面に設けた前記オーガに着脱自在な仮止めバンドと、前記カバー本体の左右側面それぞれの長手方向の中途表面に基端が縫着され、前記コンバインの前方と後方それぞれに回り込んで先端同士を着脱自在に連結する前後一組の結束ベルトとを備え、前記カバー本体は、前記仮止めバンドを収容位置にある前記オーガの中央またはその近傍に取り付けたとき、前記コンバインの上部および前後左右を覆うように位置決めされることを特徴としたコンバインカバー。
【請求項２】
カバー本体は、コンバインの操縦席を露出する開閉部が形成されている請求項１記載のコンバインカバー。
【請求項３】
開閉部は、上面部の操縦席側方にコンバインの長手方向に設けた上面開口部と、前記操縦席側の側面に前記コンバインの高さ方向に設けた側面開口部とが連続するＬ字状に形成されている請求項２記載のコンバインカバー。
【請求項４】
側面開口部の下端は操縦席側の側面の下縁に達する請求項３記載のコンバインカバー。
【請求項５】
開閉部は、上面部の操縦席側方にコンバインの長手方向に設けた上面開口部の端部と、前記操縦席側の側面の下方に前記上面開口部と同方向に設けた下縁開口部の端部を、前記コンバインの高さ方向に設けられる側面開口部によって接続したコ字状に形成されている請求項２記載のコンバインカバー。
【請求項６】
カバー本体は、上面部のオーガ先端に対応した部分と、前記上面部の四隅とに、補強布を設けたものである請求項１から５のうち何れか一項記載のコンバインカバー。
【請求項７】
結束ベルトは、前後それぞれが上下２本を一組とする請求項１から６のうち何れか一項記載のコンバインカバー。
【発明の詳細な説明】
【技術分野】
【０００１】
この発明は、位置決めが容易なコンバインの保管用カバーに関するものである。
【背景技術】
【０００２】
コンバインを保管する際、通常は、ブルーシートなどでコンバインをすっぽり覆い、周囲をロープなどで縛っていた。しかし、コンバインに被せたシートが風に煽られるなどして位置が定まりにくいため、一部をネットで構成した保護カバーが提案されている（特許文献１）。また、コンバインの投影面積の約２倍の面積を有するシートを地面に敷き、その半分にコンバインを載置した後、残り半分を折り重ねてコンバインを完全に包むようにしたシートも提案されている（特許文献２）。
【０００３】
これら従来の発明によれば、特許文献１の場合はネットの通気性により風に煽られることが少なくなり、特許文献２の場合はシート半分にコンバインが載っているため風でシートが吹き飛ばされることがない。
【先行技術文献】
【特許文献】
【０００４】
【特許文献１】特開２００４−５８７５０号公報
【特許文献２】特開平１１−２８６２１９号公報
【発明の概要】
【発明が解決しようとする課題】
【０００５】
しかし、特許文献１のものは、一部がネットで構成されるだけで、コンバインの装備中、雨水等で濡れては不都合な部分、即ち操縦席や脱穀部等を覆うのに、防水性等を有する通常のシート部分も相当面積を占める。このため、このシート部分が風の煽りを受けて位置がずれる可能性があることに変わりはない。しかも、ネットの部分は雨風が通るため、コンバイン全体を保護するものではない。
【０００６】
一方、特許文献２のものも、コンバインの上に覆い被せるシート半分（被覆部）が風の煽りを受けて、位置を定めにくいことは、通常のシートと同じである。しかも、コンバインが載るシート半分（載置部）が、コンバインの走行により破けやすいという重大な問題も有している。
【０００７】
本発明は上述した課題に鑑みなされたもので、その目的とするところは、コンバインに被せる段階での位置ずれをなくしたコンバインカバーを提供することである。
【課題を解決するための手段】
【０００８】
上述した目的を達成するために本発明のコンバインカバーは、車体上部にオーガを収容自在に装備したコンバインのカバーであって、前記コンバインの上部を覆う上面部の周囲を拡張し、四方に垂れ下がって前記コンバインの前後左右の全側面を覆う矩形状のカバー本体と、該カバー本体の前記上面部の裏面に設けた前記オーガに着脱自在な仮止めバンドと、前記カバー本体の左右側面それぞれの長手方向の中途表面に基端が縫着され、前記コンバインの前方と後方それぞれに回り込んで先端同士を着脱自在に連結する前後一組の結束ベルトとを備える。そして、前記カバー本体は、前記仮止めバンドを収容位置にある前記オーガの中央またはその近傍に取り付けたときに、前記コンバインの上部および前後左右を覆うように位置決めされる。
【０００９】
仮止めバンドをオーガに取り付けることで、カバー本体が風に煽られるなどして吹き飛ぶことを防止する。これと同時に、仮止めバンドを所定の収容位置にあるオーガの中央またはその近傍に取り付けることで、展開時にカバー本体がコンバイン全体を覆うように位置決めする作用をも行う。言い換えれば、仮止めバンドによる仮止め後は、カバー本体を細かく位置調整しなくとも、そのまま結束ベルトの連結作業に移ることができる。この結束ベルトは、コンバインの前後それぞれで、左右一対を一組として、組の関係にある左右のベルト先端をバックル等で留め合わせることで、カバー本体をコンバインにしっかり固定することができる。なお、バックルは雄雌が着脱自在な構造のほか、左右一方のベルトだけに設け、他方のベルトを長さ調整自在に挿通する構造のものでもよい。
【００１０】
カバー本体は、コンバインの操縦席を露出して、該操縦席に乗降且つ操縦を可能とする開閉部が形成されていることが好ましい。カバー装着後に、前記開閉部を開けるのみで、コンバインを操縦することができるからである。この開閉部は、上面部の操縦席側方に設けた前後方向の上面開口部と、前記操縦席側の側面部に設けた高さ方向の側面開口部とが連続するＬ字状に形成されるか、上面部の操縦席側方に設けた前後方向の上面開口部の端部と、前記操縦席側の側面部の下方に設けた前後方向の下縁開口部の端部を、高さ方向の側面開口部によって接続したコ字状に形成されていることが好ましい。操縦席への乗降と操縦をより容易に行うような開口形状とするためである。なお、開閉部をＬ字状に形成する場合、側面開口部の下端は操縦席側の側面部の下縁に達する開放端とすることで、開閉部を大きく開口することができる。
【００１１】
また、カバー本体は、上面部のオーガ先端に対応した部分と、前記上面部と周囲の側面部によって形成される四隅とに、補強布を設けたものであることが好ましい。擦れや折り曲げによって破けやすい箇所を補強するためである。
【００１２】
なお、結束ベルトは、コンバインの前側と後側それぞれで上下２本ずつ設けることが好ましい。高さのあるコンバインに対して、カバー本体をより確実に固定することができるからである。この場合、結束ベルトの結束方法は、上下で平行して結束するほか、クロスさせて結束するようにしてもよい。
【発明の効果】
【００１３】
本発明のコンバインカバーによれば、仮止めバンドによって、カバー本体をそのまま展開すればコンバイン全体を自ずと覆うことができる適正な位置に仮止めでき、しかも、この状態を維持して結束ベルトによる最終固定作業を行うことができる。したがって、少ない人員で、短時間にカバー装着が可能となる。
【００１４】
また、カバー本体に乗降用の開閉部を設けたので、カバー全部を外すことなくコンバインを操縦でき、例えば畦に駐車したコンバインを倉庫等の別の保管場所に移動する際に有効である。
【図面の簡単な説明】
【００１５】
【図１】本発明の一実施形態に係るコンバインカバーの展開図
【図２】仮止めバンドの拡大図
【図３】結束バンドの拡大図
【図４】同カバーの使用方法を示す平面視説明図
【図５】結束ベルトの結束態様を示す正面視説明図
【図６】結束ベルトの別の結束態様を示す正面視説明図
【図７】開閉部の別形態を示す平面視説明図
【発明を実施するための形態】
【００１６】
以下、本発明の好ましい実施の形態を添付した図面に従って説明する。図１は、本発明の一実施形態に係るコンバインカバーの展開図である。矩形状のカバー本体１のうち、主に、図面上、網掛けの部分でコンバインＣの被覆部を構成している。つまり、カバー本体１は、コンバインＣの上部を覆う上面部２と、その周囲に４つの側面部３〜６を備える。前後の側面部３・４はコンバインＣの前後にそれぞれ対応し、左右の側面部５・６はコンバインＣの左右にそれぞれ対応する。このようなカバー本体１は、コンバインＣの上部に上面部２を被せたとき、側面部３〜６は四方に垂れ下がってコンバインＣ全体を覆うことができる面積・形状等を有している。このとき、図面上の白抜き部分も、コンバインＣの側面に対応するものであるが、側面部３〜６の内側に折り込むなどすることで、コンバインＣの周囲を完全に密封する。ただし、側面部３〜６によってコンバインＣの前後左右の全側面が隙間なく覆われる場合は、当該白抜きの折り込み部分を省略することができる。
【００１７】
本発明の対象であるコンバインＣは、車体上部に、脱穀した籾を外部に排出するオーガＯを備える。このオーガＯは一端（図面上、下端）を支点として旋回するが、コンバインＣの保管時には、通常、図１に示したように、平面視略対角線状に収容される。
【００１８】
このようなコンバインＣのカバーとして本発明では、上面部２の裏面にオーガＯに着脱自在に取付けられる仮止めバンド７を設けている。この実施形態において、仮止めバンド７は上面部２のほぼ中央に位置している。よって、この仮止めバンド７をオーガＯの中央またはその近傍に取り付けることで、カバー本体１を展開したときに、側面部３〜６が均等に展開され、カバー本体１を前後・左右を位置調整することなく、そのままの状態でコンバインＣ全体を覆うような位置決めがなされる。
【００１９】
仮止めバンド７の具体的な構成例は、図２に示したように、２本のバンド７ａ・７ｂそれぞれに雄雌の面ファスナ７ｃ・７ｄを設けておき、オーガＯに巻回した状態でバンド７ａ・７ｂを結合するものである。
【００２０】
カバー本体１には、上記仮止めバンド７のほか、結束ベルト８〜１１を設けている。これら結束ベルト８〜１１は、８ａ・８ｂと９ａ・９ｂが前側用として左右一対に組をなし、１０ａ・１０ｂと１１ａ・１１ｂが後側用として左右一対に組をなしている。つまり、この実施形態では、前側と後側それぞれで、上下２本を一組とする結束ベルトを設けている。
【００２１】
そして、結束ベルト８〜１１の各基端はカバー本体１の左右の側面部５・６それぞれの長手方向の中途表面に縫着している。さらに、結束ベルト８〜１１の各先端にはバックル８ｃ・８ｄ、９ｃ・９ｄ、１０ｃ・１０ｄ、１１ｃ・１１ｄを設けている。
【００２２】
この実施形態におけるバックルは、図３に示したように、８ｃ・８ｄと１０ｃ・１０ｄは同一構造の受け金具であり、９ｃ・９ｄと１１ｃ・１１ｄは前記受け金具に対する同一構造の差し込み金具である。なお、受け金具であるバックル８ｃ・８ｄと１０ｃ・１０ｄは、余剰ベルトの長さを調整可能な絞り機能を有する。
【００２３】
さらに、この実施形態では、カバー本体１にコンバインＣの操縦席Ｄを露出する開閉部１２を設けている。この実施形態の場合、図１に例示したコンバインＣは、前方右側に操縦席Ｄを装備している。このため、前記操縦席Ｄ全体と、コンバインＣの右側面に設けた乗降用ステップ（図示せず）を露出できるよう、上面部２の操縦席側方と、右側の側面部５の前方とにかけて、コ字状の開閉部１２を設けている。なお、開閉部１２の開閉構造はスライドファスナによって構成することができる。
【００２４】
上記構成のコンバインカバーの使用方法は、まず図４に示したように、仮止めバンド７が操作しやすい大きさに全体を折り畳んでおき、これをオーガＯの中央に載せる。折り畳み方は任意であるが、四周の側面部３〜６を中心に向かってほぼ均等に折り畳むのが、後の展開のしやすさから便宜である。そして、図２に示した要領で、仮止めバンド７をオーガＯに取り付ける。次に、カバー本体１を展開し、側面部３〜６をコンバインＣの周囲に垂れ下げる。そして、最後に、コンバインＣの前後で結束ベルト８〜１１を連結すれば装着が完了する。なお、カバー本体１は矩形状であるため、図１上、白抜きで示した４つの角片を有するが、これら角片は、結束ベルト８〜１１を連結する前に、側面部３〜６の内側に三角に折り込んだ状態にしておく。ただし、角片は、説明の便宜上、図面において完全な四角形で示しているが、コンバインＣの外形によっては完全な四角形とはならない。
【００２５】
結束ベルト８〜１１は、図５に示したように、上下を平行に結束することであってもよいが、図６に示したように、クロスして結束することで、カバー本体１を全体に下に引き下げて、より浮き上がりのない状態で装着することができる。
【００２６】
また、結束ベルト８〜１１は、基端を左右の側面部５・６の中途に縫着しているため、前後の側面部３・４との角部に基端を縫着するよりも、左右の側面部５・６を前後反対方向に引っ張る力が強くなり、適度なテンションをもってカバー本体１を装着することができる。
【００２７】
このようにして、コンバインＣに密着した状態でカバー本体１を取り付けることが好ましいのであるが、特に、オーガＯの先端やコンバインＣの上面の四隅と密着することによって、当該部分が破ける恐れがある。
【００２８】
そこで、図１に示すように、上面部２のオーガＯの先端に対応する領域と、コンバインＣの上面四隅に対応する上面部２と側面部３〜８間の四隅に、補強布１３・・・１３を設けておくことが好ましい。補強布１３はカバー本体１の表裏何れの面に設けてもよいが、コンバインＣと直に接触するようにカバー本体１の裏面に設けることが好ましい。
【００２９】
なお、カバー本体１の素材は、防水性があり、しかも紫外線を防ぐものが好ましいが、従来のコンバインカバーと同じものを採用することができる。
【００３０】
また結束ベルト８〜１１についても、農業用具である籾収容袋の胴締めベルトなどに採用されているものと同じものを採用することができ、また、太さも任意である。さらに、ゴム等によって伸縮性を有するベルトであってもよい。
【００３１】
さらに、結束ベルトの数は、コンバインＣの大きさ（高さ）に応じて変更可能であり、３〜５畳狩り用であれば上記実施形態のように上下２本ずつで十分であるが、６畳狩り以上の大型コンバインの場合は３本一組とすることも可能であり、逆に、２畳狩り以下の小型コンバインであれば、前後に１本ずつとすることも可能である。
【００３２】
本発明では、カバーを装着したままコンバインＣを操縦可能とするために、開閉部１２を設けるという特徴を有しているが、上記実施形態のように、開閉部１２をコ字状に形成するほか、図７に示すように、Ｌ字状に形成することも可能である。このＬ字状の開閉部２０は、上記コ字状の開閉部１２から右側の側面部５の下縁に設けた前後方向の下縁開口部を省略したものである。言い換えれば、Ｌ字状の開閉部２０は、上面部２の操縦席Ｄ側方（左側）に設けた前後方向の上面開口部２０ａと、操縦席Ｄ側（右側）の側面部５に設けた高さ方向の側面開口部２０ｂとを、端部同士連結してＬ字状をなしており、前記側面開口部２０ｂの下端部に上面開口部２０ａと平行する下縁開口部２０ｃを設ければコ字状の開閉部１２とすることができる。
【００３３】
Ｌ字状とコ字状とでは、コ字状のほうが下縁開口部２０ｃを有する分、開口が大きくなるが、Ｌ字状であっても、側面開口部２０ｂの下端を側面部５の下縁まで延長して開放端２０ｄとすることで、コ字状と同様の大きさで開口を確保することができる。
【符号の説明】
【００３４】
１  カバー本体
２  上面部
３  前側の側面部
４  後側の側面部
５  右側の側面部
６  左側の側面部
７  仮止めバンド
８  右前の結束ベルト（上下一組）
９  左前の結束ベルト（上下一組）
１０  右後の結束ベルト（上下一組）
１１  左後の結束ベルト（上下一組）
１２  開閉部
１３  補強布
【図１】
2014040139.tif 000003
【図２】
2014040139.tif 000004
【図３】
2014040139.tif 000005
【図４】
2014040139.tif 000006
【図５】
2014040139.tif 000007
【図６】
2014040139.tif 000008
【図７】
2014040139.tif 000009